(57)【要約】【課題】受注に応じてかける材料手配、移動手配および加工手配の各手配工程を管理することで、それぞれの手配工程の進捗管理を行う手配工程管理装置、手配工程管理方法、および、手配工程管理プログラムを提供することを課題とする。【解決手段】受注データに基づいて、受注番号に紐付けた材料手配データを入力させるように制御し、ユーザにより入力された材料手配データを取得し、受注データに基づいて、受注番号に紐付けた加工手配データを入力させるように制御し、ユーザにより入力された加工手配データを取得し、受注データに基づいて、受注番号に紐付けた移動手配データを入力させるように制御し、ユーザにより入力された移動手配データを取得し、ユーザに材料手配、加工手配および移動手配の進捗確認を入力させるように制御し、製品の手配工程の進捗管理を行う。【選択図】図３
2019061552.tif 000002
【特許請求の範囲】
【請求項１】
記憶部と制御部とを備えた手配工程管理装置であって、
前記記憶部は、
製品の受注番号を含む受注データを記憶する受注データ記憶手段、
を備え、
前記制御部は、
前記受注データに基づいて、前記受注番号に紐付けた材料手配データを入力させるように制御し、ユーザにより入力された前記材料手配データを取得する材料手配取得手段と、
前記受注データに基づいて、前記受注番号に紐付けた加工手配データを入力させるように制御し、前記ユーザにより入力された前記加工手配データを取得する加工手配取得手段と、
前記受注データに基づいて、前記受注番号に紐付けた移動手配データを入力させるように制御し、前記ユーザにより入力された前記移動手配データを取得する移動手配取得手段と、
前記ユーザに材料手配、加工手配および移動手配の進捗確認を入力させるように制御し、前記製品の手配工程の進捗管理を行う進捗管理手段と、
を備えたことを特徴とする手配工程管理装置。
【請求項２】
前記材料手配データは、
更に、入荷完了区分および仕入完了区分を含み、
前記進捗管理手段は、
前記ユーザに前記材料手配、前記加工手配および前記移動手配の前記進捗確認を入力させるように制御し、前記ユーザにより前記入荷完了区分および／または前記仕入完了区分が未完了から完了に変更された場合、前記材料手配データを更新することで前記材料手配の前記手配工程の進捗管理を行うことを特徴とする請求項１に記載の手配工程管理装置。
【請求項３】
前記加工手配データは、
更に、加工完了区分を含み、
前記進捗管理手段は、
前記ユーザに前記材料手配、前記加工手配および前記移動手配の前記進捗確認を入力させるように制御し、前記ユーザにより前記加工完了区分が未完了から完了に変更された場合、前記加工手配データを更新することで前記加工手配の前記手配工程の進捗管理を行うことを特徴とする請求項１に記載の手配工程管理装置。
【請求項４】
前記移動手配データは、
更に、移動手配完了区分を含み、
前記進捗管理手段は、
前記ユーザに前記材料手配、前記加工手配および前記移動手配の前記進捗確認を入力させるように制御し、前記ユーザにより前記移動手配完了区分が未完了から完了に変更された場合、前記移動手配データを更新することで前記移動手配の前記手配工程の進捗管理を行うことを特徴とする請求項１に記載の手配工程管理装置。
【請求項５】
前記受注番号は、
前記材料手配データに含まれる材料手配番号、前記加工手配データに含まれる加工手配番号、および、前記移動手配データに含まれる移動手配番号と紐づけられていることを特徴とする請求項１から４のいずれか一つに記載の手配工程管理装置。
【請求項６】
前記受注データは、
前記製品の受注数量を含み、
前記制御部は、
前記製品の受注数量に対して必要な各材料の材料資産受払数量を算出し、前記材料資産受払数量と前記各材料の材料原価金額と前記材料のロット番号とを含む加工払出明細データを取得する加工払出明細取得手段と、
前記製品への前記材料原価金額の按分比率を取得し、前記製品の加工資産受払数量と、前記材料原価金額の合計金額に当該按分比率を乗じた按分材料原価金額と、前記加工手配番号と、前記ロット番号とを含む加工受入明細データを取得する加工受入明細取得手段と、
を更に備えたことを特徴とする請求項５に記載の手配工程管理装置。
【請求項７】
前記制御部は、
前記材料手配データ、前記加工手配データ、および／または、前記移動手配データを表示させる手配データ表示手段、
を更に備えたことを特徴とする請求項１から６のいずれか一つに記載の手配工程管理装置。
【請求項８】
記憶部と制御部とを備えた手配工程管理装置に実行させるための手配工程管理方法であって、
前記記憶部は、
製品の受注番号を含む受注データを記憶する受注データ記憶手段、
を備え、
前記制御部で実行させる、
前記受注データに基づいて、前記受注番号に紐付けた材料手配データを入力させるように制御し、ユーザにより入力された前記材料手配データを取得する材料手配取得ステップと、
前記受注データに基づいて、前記受注番号に紐付けた加工手配データを入力させるように制御し、前記ユーザにより入力された前記加工手配データを取得する加工手配取得ステップと、
前記受注データに基づいて、前記受注番号に紐付けた移動手配データを入力させるように制御し、前記ユーザにより入力された前記移動手配データを取得する移動手配取得ステップと、
前記ユーザに材料手配、加工手配および移動手配の進捗確認を入力させるように制御し、前記製品の手配工程の進捗管理を行う進捗管理ステップと、
を含むことを特徴とする手配工程管理方法。
【請求項９】
記憶部と制御部とを備えた手配工程管理装置に実行させるための手配工程管理プログラムであって、
前記記憶部は、
製品の受注番号を含む受注データを記憶する受注データ記憶手段、
を備え、
前記制御部において、
前記受注データに基づいて、前記受注番号に紐付けた材料手配データを入力させるように制御し、ユーザにより入力された前記材料手配データを取得する材料手配取得ステップと、
前記受注データに基づいて、前記受注番号に紐付けた加工手配データを入力させるように制御し、前記ユーザにより入力された前記加工手配データを取得する加工手配取得ステップと、
前記受注データに基づいて、前記受注番号に紐付けた移動手配データを入力させるように制御し、前記ユーザにより入力された前記移動手配データを取得する移動手配取得ステップと、
前記ユーザに材料手配、加工手配および移動手配の進捗確認を入力させるように制御し、前記製品の手配工程の進捗管理を行う進捗管理ステップと、
を実行させるための手配工程管理プログラム。
【発明の詳細な説明】
【技術分野】
【０００１】
本発明は、手配工程管理装置、手配工程管理方法、および、手配工程管理プログラムに関する。
【背景技術】
【０００２】
特許文献１には、ＢＯＭ（Ｂｉｌｌ  Ｏｆ  Ｍａｔｅｒｉａｌｓ）に基づいて、部品手配を行い、部品手配の進捗管理を行う構成が開示されている。
【先行技術文献】
【特許文献】
【０００３】
【特許文献１】特開２００１−３３１５３５号公報
【発明の概要】
【発明が解決しようとする課題】
【０００４】
しかしながら、上記特許文献１においては、ＢＯＭを前提とする管理方法であるため、材料（錆ぐあい、および／または、熱処理等）および加工業者等により順番が都度変わり、且つ、機械製造業務のような部品表という概念がない加工業務に適用することできないという課題があった。
【０００５】
本発明は、上記問題点に鑑みてなされたものであって、受注に応じてかける材料手配、移動手配および加工手配の各手配工程を管理することで、それぞれの手配工程の進捗管理を行う手配工程管理装置、手配工程管理方法、および、手配工程管理プログラムを提供することを目的とする。
【課題を解決するための手段】
【０００６】
上述した課題を解決し、目的を達成するために、本発明に係る手配工程管理装置は、記憶部と制御部とを備えた手配工程管理装置であって、前記記憶部は、製品の受注番号を含む受注データを記憶する受注データ記憶手段、を備え、前記制御部は、前記受注データに基づいて、前記受注番号に紐付けた材料手配データを入力させるように制御し、ユーザにより入力された前記材料手配データを取得する材料手配取得手段と、前記受注データに基づいて、前記受注番号に紐付けた加工手配データを入力させるように制御し、前記ユーザにより入力された前記加工手配データを取得する加工手配取得手段と、前記受注データに基づいて、前記受注番号に紐付けた移動手配データを入力させるように制御し、前記ユーザにより入力された前記移動手配データを取得する移動手配取得手段と、前記ユーザに材料手配、加工手配および移動手配の進捗確認を入力させるように制御し、前記製品の手配工程の進捗管理を行う進捗管理手段と、を備えたことを特徴とする。
【０００７】
また、本発明に係る手配工程管理装置は、前記材料手配データは、更に、入荷完了区分および仕入完了区分を含み、前記進捗管理手段は、前記ユーザに前記材料手配、前記加工手配および前記移動手配の前記進捗確認を入力させるように制御し、前記ユーザにより前記入荷完了区分および／または前記仕入完了区分が未完了から完了に変更された場合、前記材料手配データを更新することで前記材料手配の前記手配工程の進捗管理を行うことを特徴とする。
【０００８】
また、本発明に係る手配工程管理装置は、前記加工手配データは、更に、加工完了区分を含み、前記進捗管理手段は、前記ユーザに前記材料手配、前記加工手配および前記移動手配の前記進捗確認を入力させるように制御し、前記ユーザにより前記加工完了区分が未完了から完了に変更された場合、前記加工手配データを更新することで前記加工手配の前記手配工程の進捗管理を行うことを特徴とする。
【０００９】
また、本発明に係る手配工程管理装置は、前記移動手配データは、更に、移動手配完了区分を含み、前記進捗管理手段は、前記ユーザに前記材料手配、前記加工手配および前記移動手配の前記進捗確認を入力させるように制御し、前記ユーザにより前記移動手配完了区分が未完了から完了に変更された場合、前記移動手配データを更新することで前記移動手配の前記手配工程の進捗管理を行うことを特徴とする。
【００１０】
また、本発明に係る手配工程管理装置は、前記受注番号は、前記材料手配データに含まれる材料手配番号、前記加工手配データに含まれる加工手配番号、および、前記移動手配データに含まれる移動手配番号と紐づけられていることを特徴とする。
【００１１】
また、本発明に係る手配工程管理装置は、前記受注データは、前記製品の受注数量を含み、前記制御部は、前記製品の受注数量に対して必要な各材料の材料資産受払数量を算出し、前記材料資産受払数量と前記各材料の材料原価金額と前記材料のロット番号とを含む加工払出明細データを取得する加工払出明細取得手段と、前記製品への前記材料原価金額の按分比率を取得し、前記製品の加工資産受払数量と、前記材料原価金額の合計金額に当該按分比率を乗じた按分材料原価金額と、前記加工手配番号と、前記ロット番号とを含む加工受入明細データを取得する加工受入明細取得手段と、を更に備えたことを特徴とする。
【００１２】
また、本発明に係る手配工程管理装置は、前記制御部は、前記材料手配データ、前記加工手配データ、および／または、前記移動手配データを表示させる手配データ表示手段、を更に備えたことを特徴とする。
【００１３】
また、本発明に係る手配工程管理方法は、記憶部と制御部とを備えた手配工程管理装置に実行させるための手配工程管理方法であって、前記記憶部は、製品の受注番号を含む受注データを記憶する受注データ記憶手段、を備え、前記制御部で実行させる、前記受注データに基づいて、前記受注番号に紐付けた材料手配データを入力させるように制御し、ユーザにより入力された前記材料手配データを取得する材料手配取得ステップと、前記受注データに基づいて、前記受注番号に紐付けた加工手配データを入力させるように制御し、前記ユーザにより入力された前記加工手配データを取得する加工手配取得ステップと、前記受注データに基づいて、前記受注番号に紐付けた移動手配データを入力させるように制御し、前記ユーザにより入力された前記移動手配データを取得する移動手配取得ステップと、前記ユーザに材料手配、加工手配および移動手配の進捗確認を入力させるように制御し、前記製品の手配工程の進捗管理を行う進捗管理ステップと、を含むことを特徴とする。
【００１４】
また、本発明に係る手配工程管理プログラムは、記憶部と制御部とを備えた手配工程管理装置に実行させるための手配工程管理プログラムであって、前記記憶部は、製品の受注番号を含む受注データを記憶する受注データ記憶手段、を備え、前記制御部において、前記受注データに基づいて、前記受注番号に紐付けた材料手配データを入力させるように制御し、ユーザにより入力された前記材料手配データを取得する材料手配取得ステップと、前記受注データに基づいて、前記受注番号に紐付けた加工手配データを入力させるように制御し、前記ユーザにより入力された前記加工手配データを取得する加工手配取得ステップと、前記受注データに基づいて、前記受注番号に紐付けた移動手配データを入力させるように制御し、前記ユーザにより入力された前記移動手配データを取得する移動手配取得ステップと、前記ユーザに材料手配、加工手配および移動手配の進捗確認を入力させるように制御し、前記製品の手配工程の進捗管理を行う進捗管理ステップと、を実行させることを特徴とする。
【発明の効果】
【００１５】
本発明によれば、受注より手配をかける材料手配（対外的に発注、または、社内的に移動もしくは無償支給等）、加工手配（対外的に加工依頼、または、社内的に加工指示等）、および、移動手配（各会社間、または、自社倉庫間等）の工程を管理することで、各手配工程の進捗管理をすることができるという効果を奏する。また、本発明によれば、加工業務において受注より紐付けされた材料を指定することができるため、個別発注した材料を加工業務で明示的に指定し原価積算することで、個別原価管理ができるという効果を奏する。すなわち、本発明によれば、個別手配の番号で紐づく管理のため、個別原価管理が可能となる。また、本発明によれば、製品を組み立てする為の工程管理ではなく、発注、移動および加工を作業に絡めた工程管理を行うことができるという効果を奏する。
【図面の簡単な説明】
【００１６】
【図１】図１は、本実施形態における加工工程の一例を示すイメージ図である。
【図２】図２は、本実施形態における加工工程管理の一例を示す図である。
【図３】図３は、手配工程管理装置の構成の一例を示すブロック図である。
【図４】図４は、本実施形態における手配工程管理装置の処理の一例を示すフローチャートである。
【図５】図５は、本実施形態における受注データの一例を示す図である。
【図６】図６は、本実施形態における手配データの一例を示す図である。
【図７】図７は、本実施形態における手配工程管理の一例を示す図である。
【図８】図８は、本実施形態における手配工程管理の一例を示す図である。
【図９】図９は、本実施形態における表示画面の一例を示す図である。
【図１０】図１０は、本実施形態における表示画面の一例を示す図である。
【図１１】図１１は、本実施形態における表示画面の一例を示す図である。
【図１２】図１２は、本実施形態における表示画面の一例を示す図である。
【発明を実施するための形態】
【００１７】
本発明の実施形態を図面に基づいて詳細に説明する。なお、本発明は本実施形態により限定されるものではない。
【００１８】
［１．概要］
まず、図１および図２を参照して、本発明の概要を説明する。
【００１９】
従来から、鉄鋼業界におけるプレイヤーとしては、高炉メーカー、１次店、２次店および加工業専業が存在するが、特に１次店および２次店の業務としては、鋼材問屋としての業務、加工業務、または、メーカー紐づけによる加工業務等の多岐に渡るだけでなく、加工の各工程を自社内または社外で渡り加工を行い、社外から客先へ納入する場合もある。
【００２０】
このように、従来、鉄鋼業界等では、自社の保有する設備に加工内容が依存するため、保有しない設備での加工が必要となった場合、外注加工を依頼するため、渡り加工を行うケースが多く、その際、複数工程を渡り歩くケースも多かった。また、従来、ターゲットである２次店に関しては、切断工程を自社で行い、それ以外の工程を外注するケースが多くあり、そのまま自社倉庫を経由する事なく受注先に納入するケースも多くあった。
【００２１】
ここで、従来の一般的な生産管理システムでは、材料費（材料原価金額）を製造番号（受注番号）へ投入していく仕組み（経理的側面だけ管理）であるため、投入することで加工をしたとみなす管理手法となっており、機械業のような部品を投入し大きな１点もの（船または重機等）を製造する場合、利用可能であるが、鉄鋼業等のように材料（母材）から残材が残るような場合、残材の管理ができず、また、材料等が外注先へ渡る場合、進捗が不透明であった。
【００２２】
また、従来の一般的な生産管理システムにおいては、ＢＯＭありきのシステムであったため、鋼材系の加工業務および個別取引においてＢＯＭを都度マスタ化する必要があった。
【００２３】
そこで、本実施形態においては、材料発注、材料移動、および、加工の物流上の手配工程を絡めた工程管理を行うことを可能としている。
【００２４】
ここで、図１および図２を参照して、本実施形態における手配工程の一例について説明する。図１は、本実施形態における加工工程の一例を示すイメージ図である。図２は、本実施形態における加工工程管理の一例を示す図である。
【００２５】
図１には、母材から製品Ａ、製品Ｂおよび製品Ｃへの加工手配がされ、製品Ａから製品Ｄへの加工手配がされる鉄鋼の加工工程が示してある。そして、図２に示すように、本実施形態においては、図１に示す加工工程の管理として、初工程における母材の払出の進捗管理ならびに製品Ａ、製品Ｂおよび製品Ｃの出来上がりの進捗管理を行い、最終工程における製品Ａの払出の進捗管理および製品Ｄの出来上がりの進捗管理を行ってもよい。ここで、本実施形態においては、母材の仕入先への発注または母材の他拠点倉庫からの手配等の材料手配の手配工程の進捗管理を行ってもよい。また、本実施形態においては、母材、製品Ａ、製品Ｂまたは製品Ｃの内部の倉庫間移動または外注先間の移動等の移動手配の手配工程の進捗管理を行ってもよい。
【００２６】
［２．構成］
本実施形態に係る手配工程管理装置１００の構成の一例について、図３を参照して説明する。図３は、手配工程管理装置１００の構成の一例を示すブロック図である。
【００２７】
手配工程管理装置１００は、市販のデスクトップ型パーソナルコンピュータである。なお、手配工程管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２８】
手配工程管理装置１００は、制御部１０２と通信インターフェース部１０４と記憶部１０６と入出力インターフェース部１０８と、を備えている。手配工程管理装置１００が備えている各部は、任意の通信路を介して通信可能に接続されている。
【００２９】
通信インターフェース部１０４は、ルータ等の通信装置および専用線等の有線または無線の通信回線を介して、手配工程管理装置１００をネットワーク３００に通信可能に接続する。通信インターフェース部１０４は、他の装置と通信回線を介してデータを通信する機能を有する。ここで、ネットワーク３００は、手配工程管理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００３０】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。記憶部１０６は、受注データファイル１０６ａと、手配データファイル１０６ｂとを備えている。
【００３１】
受注データファイル１０６ａは、製品の受注番号を含む受注データを記憶する。ここで、受注データは、製品の受注数量を含んでいてもよい。また、受注データは、受注番号、ユーザ取引区分、事業所コード、部門コード、担当者コード、受注日時（受注日）、会計日時（会計年月）、出荷日時、納品日時、得意先コード、得意先名、請求先コード、請求先名、納入先コード、納入先名、出荷指示完了区分、出荷完了区分および／または売上完了区分等を含む受注ヘッダデータを含んでいてもよい。また、受注データは、受注番号、受注行番号、ユーザ取引区分、商品コード、商品名、規格、商品変動特性数値、受注数量（受注数）、単位コード、資産受注数量（資産受注数）、資産単位コード、単価単位区分、売上単価、売上金額および／または売上消費税額等を含む受注明細データを含んでいてもよい。また、受注データは、受注番号、受注行番号、受注行詳細番号、商品コード、商品変動特性数値、ロット番号、チャージＮＯ、受注数量（受注数）、単位コード、資産受注数量（資産受注数）、資産単位コード、原価単価および／または原価金額等を含む受注明細データを含んでいてもよい。
【００３２】
手配データファイル１０６ｂは、受注番号に紐付けた手配データ、受注番号に紐付けた材料手配データ、受注番号に紐付けた加工手配データ、および／または、受注番号に紐付けた移動手配データを記憶する。ここで、手配データは、手配番号、事業所コード、部門コード、担当者コード、手配入力日時（手配入力日）、会計日時（会計年月）、手配処理番号、受注番号、受注行番号および／または受注詳細番号等を含む手配明細データを含んでいてもよい。また、手配データは、手配番号、手配工程番号、ユーザ取引区分および／または手配先伝票番号等を含む手配詳細データを含んでいてもよい。
【００３３】
また、材料手配データは、手配番号、手配工程番号、材料手配番号（発注番号）、ユーザ取引区分、事業所コード、部門コード、担当者コード、材料手配日時（発注日）、会計日時（会計年月）、入荷予定日時（入荷予定日）、仕入先コード、仕入先名、支払先コード、支払先名、入荷完了区分、仕入完了区分、倉庫コードおよび／または倉庫名等を含む材料手配ヘッダデータ（発注ヘッダデータ）を含んでいてもよい。また、材料手配データは、材料手配番号（発注番号）、材料手配行番号（発注行番号）、ユーザ取引区分、商品コード、商品名、規格、商品変動特性数値、材料手配数量（発注数）、単位コード、資産手配数量（資産発注数）、資産単位コード、単価単位区分、仕入単価、仕入金額および／または仕入消費税額等を含む材料手配明細データ（発注明細データ）を含んでいてもよい。また、材料手配データは、材料手配番号（発注番号）、材料手配行番号（発注行番号）、材料手配行詳細番号（発注行詳細番号）、商品コード、商品変動特性数値、ロット番号、チャージＮＯ、材料手配数量（発注数）、単位コード、資産手配数量（資産発注数）、資産単位コード、原価単価および／または原価金額等を含む材料手配詳細データ（発注詳細データ）を含んでいてもよい。
【００３４】
また、加工手配データは、手配番号、手配工程番号、加工手配番号（加工依頼番号）、ユーザ取引区分、事業所コード、部門コード、担当者コード、加工手配日時（加工依頼日）、会計日時（会計年月）、加工納期、払出倉庫コード、払出倉庫名、入庫倉庫コード、入庫倉庫名および／または加工完了区分等を含む加工手配ヘッダデータ（加工依頼ヘッダデータ）を含んでいてもよい。また、加工手配データは、加工手配番号（加工依頼番号）、加工手配行番号（加工依頼行番号）、ユーザ取引区分、商品コード、商品名、規格、商品変動特性数値、加工手配数量（加工依頼数）、単位コード、資産加工手配数量（資産加工依頼数）、資産単位コード、原価単価および／または原価金額等を含む加工手配明細データ（加工依頼明細データ）を含んでいてもよい。また、加工手配データは、加工手配番号（加工依頼番号）、加工手配行番号（加工依頼行番号）、加工手配行詳細番号（加工依頼行詳細番号）、商品コード、商品変動特性数値、ロット番号、チャージＮＯ、加工手配数量（加工依頼数）、単位コード、資産加工手配数量（資産加工依頼数）、資産単位コード、原価単価および／または原価金額等を含む加工手配詳細データ（加工依頼詳細データ）を含んでいてもよい。
【００３５】
また、移動手配データは、手配番号、手配工程番号、移動手配番号（移動依頼番号）、ユーザ取引区分、事業所コード、部門コード、担当者コード、移動依頼日時（移動依頼日）、会計日時（会計年月）、出荷予定日時（出荷予定日）、入荷予定日時（入荷予定日）、払出倉庫コード、払出倉庫名、入庫倉庫コード、入庫倉庫名および／または移動手配完了区分（移動依頼完了区分）等を含む移動手配ヘッダデータ（移動依頼ヘッダデータ）を含んでいてもよい。また、移動手配データは、移動手配番号（移動依頼番号）、移動手配行番号（移動依頼行番号）、ユーザ取引区分、商品コード、商品名、規格、商品変動特性数値、移動手配数量（移動依頼数）、単位コード、資産移動手配数量（資産移動依頼数）、資産単位コード、原価単価および／または原価金額等を含む移動手配明細データ（移動依頼明細データ）を含んでいてもよい。また、移動手配データは、移動手配番号（移動依頼番号）、移動手配行番号（移動依頼行番号）、移動手配行詳細番号（移動依頼行詳細番号）、商品コード、商品変動特性数値、ロット番号、チャージＮＯ、移動手配数量（移動依頼数）、単位コード、資産移動手配数量（資産移動依頼数）、資産単位コード、原価単価および／または原価金額等を含む移動手配詳細データ（移動依頼詳細データ）を含んでいてもよい。
【００３６】
入出力インターフェース部１０８には、入力装置１１２および出力装置１１４が接続されている。出力装置１１４には、モニタ（タッチパネルを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４またはプリンタ１１４とし、入力装置１１２をキーボード１１２またはマウス１１２として記載する場合がある。
【００３７】
制御部１０２は、手配工程管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、受注データ取得部１０２ａと、材料手配取得部１０２ｂと、加工手配取得部１０２ｃと、移動手配取得部１０２ｄと、進捗管理部１０２ｅと、加工払出明細取得部１０２ｆと、加工受入明細取得部１０２ｇと、手配データ表示部１０２ｈとを備えている。
【００３８】
受注データ取得部１０２ａは、製品の受注番号および／または受注数量を含む受注データを取得する。ここで、受注データ取得部１０２ａは、受注データを受注データファイル１０６ａに格納してもよい。また、受注データ取得部１０２ａは、受注データに基づいて、受注番号に紐付けた手配データを取得（作成）してもよい。また、受注データ取得部１０２ａは、手配データを手配データファイル１０６ｂに格納してもよい。
【００３９】
材料手配取得部１０２ｂは、受注データに基づいて、受注番号に紐付けた材料手配データを入力させるように制御し、ユーザにより入力された材料手配データを取得する。ここで、受注番号は、材料手配データに含まれる材料手配番号と紐づけられていてもよい。
【００４０】
加工手配取得部１０２ｃは、受注データに基づいて、受注番号に紐付けた加工手配データを入力させるように制御し、ユーザにより入力された加工手配データを取得する。ここで、受注番号は、加工手配データに含まれる加工手配番号と紐づけられていてもよい。
【００４１】
移動手配取得部１０２ｄは、受注データに基づいて、受注番号に紐付けた移動手配データを入力させるように制御し、ユーザにより入力された移動手配データを取得する。ここで、受注番号は、移動手配データに含まれる移動手配番号と紐づけられていてもよい。
【００４２】
進捗管理部１０２ｅは、ユーザに材料手配、加工手配および移動手配の進捗確認を入力させるように制御し、製品の手配工程の進捗管理を行う。ここで、進捗管理部１０２ｅは、ユーザに材料手配、加工手配および移動手配の進捗確認を入力させるように制御し、ユーザにより入荷完了区分および／または仕入完了区分が未完了から完了に変更された場合、材料手配データを更新することで材料手配の手配工程の進捗管理を行ってもよい。また、進捗管理部１０２ｅは、ユーザに材料手配、加工手配および移動手配の進捗確認を入力させるように制御し、ユーザにより加工完了区分が未完了から完了に変更された場合、加工手配データを更新することで加工手配の手配工程の進捗管理を行ってもよい。また、進捗管理部１０２ｅは、ユーザに材料手配、加工手配および移動手配の進捗確認を入力させるように制御し、ユーザにより移動手配完了区分が未完了から完了に変更された場合、移動手配データを更新することで移動手配の手配工程の進捗管理を行ってもよい。
【００４３】
加工払出明細取得部１０２ｆは、製品の受注数量に対して必要な各材料の材料資産受払数量を算出し、材料資産受払数量と各材料の材料原価金額（材料費）と材料のロット番号とを含む加工払出明細データを取得する。ここで、加工払出明細取得部１０２ｆは、製品の受注数量に対して必要な各材料の材料資産受払数量を算出し、材料資産受払数量と各材料の材料原価金額と材料のロット番号とを含む加工払出明細データを取得してもよい。ここで、加工払出明細取得部１０２ｆは、更に、製品の受注数量に対して必要な労務費を算出し、労務費の労務費金額を含む加工払出明細データを取得してもよい。また、加工払出明細取得部１０２ｆは、更に、製品の受注数量に対して必要な経費を算出し、経費の経費金額を含む加工払出明細データを取得してもよい。なお、加工払出明細データは、加工番号、加工行番号、ユーザ取引区分、商品コード、商品名、規格、長さ、受入数、単位コード、材料資産受払数量（資産受払数等）、資産単位コード、原価単価、原価金額（材料原価金額、労務費金額および／または経費金額等）、加工完了区分、ロット番号、および／または、チャージＮＯ等を含んでいてもよい。
【００４４】
加工受入明細取得部１０２ｇは、製品への材料原価金額の按分比率を取得し、製品の加工資産受払数量と、材料原価金額の合計金額に当該按分比率を乗じた按分材料原価金額と、加工手配番号と、ロット番号とを含む加工受入明細データを取得する。ここで、加工受入明細取得部１０２ｇは、製品ならびに当該製品の副産物および／もしくは連産品への材料原価金額の按分比率を取得し、製品ならびに副産物および／もしくは連産品の加工資産受払数量と、材料原価金額の合計金額に当該按分比率を乗じた按分材料原価金額と、加工手配番号と、ロット番号とを含む加工受入明細データを取得してもよい。ここで、加工受入明細取得部１０２ｇは、材料から残材が生じる場合、製品ならびに副産物および／または連産品への材料原価金額の按分比率を取得し、製品、副産物および／もしくは連産品ならびに残材の加工資産受払数量と、合計金額に残材の比率を乗じた残材原価金額と、材料原価金額から残材原価金額を引いた差分金額に当該按分比率を乗じた按分材料原価金額と、加工手配番号と、ロット番号とを含む加工受入明細データを取得してもよい。
【００４５】
ここで、按分比率は、製品、副産物または連産品の加工資産受払数量を、製品、副産物および連産品の加工資産受払数量の合計数量で、割った値であってもよい。また、按分比率は、製品、副産物または連産品の加工資産受払数量を歩留で割った値である按分基準値を、製品、副産物および連産品の加工資産受払数量の合計数量を歩留で割った値であってもよい。ここで、加工受入明細データは、按分基準値を含んでもよい。また、按分比率または按分基準値は、ユーザにより（入力装置１１２を介して）任意に設定された値であってもよい。
【００４６】
また、加工受入明細取得部１０２ｇは、更に、製品ならびに当該製品の副産物および／もしくは連産品への労務費金額の按分比率を取得し、労務費金額に当該按分比率を乗じた按分労務費金額を含む加工受入明細データを取得してもよい。また、加工受入明細取得部１０２ｇは、更に、製品ならびに当該製品の副産物および／もしくは連産品への経費金額の按分比率を取得し、経費金額に当該按分比率を乗じた按分経費金額を含む加工受入明細データを取得してもよい。なお、加工受入明細データは、加工番号、加工行番号、ユーザ取引区分、商品コード、商品名、規格、長さ、受入数、単位コード、加工資産受払数量（資産受払数等）、資産単位コード、按分比率、按分基準値、原価単価、原価金額（按分材料原価金額等）、加工完了区分、製品区分、加工数、加工単価、加工金額（按分労務費金額および／または按分経費金額等）、製造原価（製品原価等）、加工手配番号、加工手配行番号、ロット番号、および／または、チャージＮＯ等を含んでいてもよい。
【００４７】
手配データ表示部１０２ｈは、材料手配データ、加工手配データ、および／または、移動手配データを（出力装置１１４に）表示させる。ここで、手配データ表示部１０２ｈは、更に、加工ヘッダデータ、加工払出明細データ、加工受入明細データ、受注データ（受注ヘッダデータ、受注明細データおよび／または受注詳細データ）、仕入データ（仕入ヘッダデータ、仕入明細データおよび／または仕入詳細データ）、および／または、売上データ（売上ヘッダデータ、売上明細データおよび／または売上詳細データ）を（出力装置１１４に）表示させてもよい。
【００４８】
なお、制御部１０２は、更に、受注データに基づいて、仕入データ、および／または、売上データ等を取得（作成）する手段を備えていてもよい。
【００４９】
［３．具体例］
本実施形態の具体例について、図４から図１２を参照して説明する。
【００５０】
［手配工程管理処理］
ここで、図４を参照して、本実施形態における手配工程管理処理の一例について説明する。図４は、本実施形態における手配工程管理装置１００の処理の一例を示すフローチャートである。
【００５１】
図４に示すように、受注データ取得部１０２ａは、得意先から提示された製品の受注番号および受注数量、ならびに、当該得意先の得意先データ等を含む受注データを取得し、当該受注データに基づいて、受注番号に紐付けた手配明細データおよび手配詳細データを含む手配データを作成する（ステップＳＡ−１）。
【００５２】
そして、材料手配取得部１０２ｂは、受注データに基づいて、受注番号に紐付けた材料手配データを入力させるように出力装置１１４を表示制御し、ユーザにより入力装置１１２を介して入力された発注番号、入荷完了区分および仕入完了区分を含む材料手配データを取得する（ステップＳＡ−２）。
【００５３】
そして、加工手配取得部１０２ｃは、受注データおよび材料手配データに基づいて、受注番号に紐付けた加工手配データを入力させるように出力装置１１４を表示制御し、ユーザにより入力装置１１２を介して入力された加工依頼番号および加工完了区分を含む加工手配データを取得する（ステップＳＡ−３）。
【００５４】
そして、移動手配取得部１０２ｄは、受注データ、残量手配データおよび加工手配データに基づいて、受注番号に紐付けた移動手配データを入力させるように出力装置１１４を表示制御し、ユーザにより入力装置１１２を介して入力された移動依頼番号および移動依頼完了区分を含む移動手配データを取得する（ステップＳＡ−４）。
【００５５】
そして、進捗管理部１０２ｅは、ユーザに材料手配、加工手配および移動手配の進捗確認を入力させるように出力装置１１４を表示制御し、ユーザにより入力装置１１２を介して入荷完了区分および／または仕入完了区分が未完了から完了に変更された場合、材料手配データを更新し、ユーザにより入力装置１１２を介して加工完了区分が未完了から完了に変更された場合、加工手配データを更新し、ユーザにより入力装置１１２を介して移動手配完了区分が未完了から完了に変更された場合、移動手配データを更新することで手配工程（手配明細データ）の進捗管理を行い（ステップＳＡ−５）、全ての手配工程が完了した場合、処理を終了する。
【００５６】
ここで、図５から図１２を参照して、本実施形態における手配工程管理処理の詳細について説明する。
【００５７】
まず、図５から図８を参照して、本実施形態における手配工程管理処理の一例について説明する。図５は、本実施形態における受注データの一例を示す図である。図６は、本実施形態における手配データの一例を示す図である。図７および図８は、本実施形態における手配工程管理の一例を示す図である。
【００５８】
本実施形態においては、製品受注の、担当事業所が東京営業所（コード：１０）、担当部門が東京営業１課（１０１）、担当者が営業担当（１０１００１）、得意先がＡ得意先（１００）、請求先がＡ請求先（１００）、納入先がＡ納入先場所（１０００１）、仕入先がＢ仕入先（２００）、且つ、支払先がＢ支払先（２００）である場合、図５に示すように、受注番号を含む受注ヘッダデータ、受注番号および受注数を含む受注明細データ、ならびに、受注番号および受注数を含む受注詳細データを含む受注データが取得され、図６に示すように、受注番号および手配番号を含む手配明細データ、ならびに、受注番号に紐付けられた手配番号および手配先伝票番号（発注番号、加工依頼番号および移動依頼番号）を含む手配詳細データを含む手配データが作成される。
【００５９】
そして、図７に示すように、本実施形態においては、受注番号に紐付けられた発注番号、仕入先名、支払先名、入荷完了区分および仕入完了区分を含む発注ヘッダデータ、受注番号に紐付けられた発注番号を含む発注明細データ、ならびに、受注番号に紐付けられた発注番号を含む発注詳細データを含む材料手配データが取得され、受注番号に紐付けられた加工依頼番号および加工完了区分を含む加工依頼ヘッダデータ、受注番号に紐付けられた加工依頼番号を含む加工依頼明細データ、ならびに、受注番号に紐付けられた加工依頼番号を含む加工依頼詳細データを含む加工手配データが取得され、受注番号に紐付けられた移動依頼番号および移動依頼完了区分を含む移動依頼ヘッダデータ、受注番号に紐付けられた移動依頼番号を含む移動依頼明細データ、ならびに、受注番号に紐付けられた移動依頼番号を含む移動依頼詳細データを含む移動手配データが取得される。
【００６０】
また、図８に示すように、本実施形態においては、材料手配データに含まれる発注番号が仕入データ（仕入ヘッダデータ、仕入明細データ、および、ロット番号を含む仕入詳細データ）に含まれ、加工手配データに含まれる加工依頼番号が内作（加工実績）データ（ロット番号を含む加工受入明細データ）に含まれ、ロット番号が売上データ（売上詳細データ）に含まれるように作成することで、材料手配から加工手配および移動手配まで発注番号およびロット番号等で紐付けされるため、各手配工程の進捗管理と伴に原価把握が可能となる。
【００６１】
また、図９から図１２を参照して、本実施形態における表示画面の一例について説明する。図９から図１２は、本実施形態における表示画面の一例を示す図である。
【００６２】
図９に示すように、本実施形態においては、製品の加工受入明細データを表示する受入欄、製品の加工払出明細データを表示する払出欄、および、残材の加工払出明細データを表示する残材欄、ならびに、加工依頼明細データを含む加工手配データの表示を展開させるための加工依頼展開ボタン、および、受注明細データを含む受注データの表示を展開させるための受注明細展開ボタン等を含む加工入力画面を出力装置１１４に表示させてもよい。
【００６３】
また、図１０に示すように、本実施形態においては、発注から加工依頼および移動依頼まで、受入側および払出側の全ての工程をロットトレースで紐づけしていくためのロット番号を、ユーザに入力装置１１２を介して入力させるためのテキストボックスを含む加工内訳入力画面を出力装置１１４に表示させてもよい。
【００６４】
また、図１１に示すように、本実施形態においては、ユーザに材料手配工程、加工手配工程および移動手配工程の進捗を確認させるための手配工程進捗照会画面を出力装置１１４に表示させてもよい。また、図１２に示すように、本実施形態においては、材料手配明細データ、加工手配明細データおよび移動手配明細データを入力または修正するための手配明細入力画面を出力装置１１４に表示させてもよい。
【００６５】
［４．他の実施形態］
本発明は、上述した実施形態以外にも、特許請求の範囲に記載した技術的思想の範囲内において種々の異なる実施形態にて実施されてよいものである。
【００６６】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６７】
また、本明細書中や図面中で示した処理手順、制御手順、具体的名称、各処理の登録データや検索条件等のパラメータを含む情報、画面例、データベース構成については、特記する場合を除いて任意に変更することができる。
【００６８】
また、手配工程管理装置１００に関して、図示の各構成要素は機能概念的なものであり、必ずしも物理的に図示の如く構成されていることを要しない。
【００６９】
例えば、手配工程管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて手配工程管理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７０】
また、このコンピュータプログラムは、手配工程管理装置１００に対して任意のネットワークを介して接続されたアプリケーションプログラムサーバに記憶されていてもよく、必要に応じてその全部または一部をダウンロードすることも可能である。
【００７１】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００７２】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、本実施形態に示した各装置において記録媒体を読み取るための具体的な構成および読み取り手順ならびに読み取り後のインストール手順等については、周知の構成や手順を用いることができる。
【００７３】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７４】
また、手配工程管理装置１００は、既知のパーソナルコンピュータまたはワークステーション等の情報処理装置として構成してもよく、また、任意の周辺装置が接続された当該情報処理装置として構成してもよい。また、手配工程管理装置１００は、当該装置に本実施形態で説明した処理を実現させるソフトウェア（プログラムまたはデータ等を含む）を実装することにより実現してもよい。
【００７５】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７６】
本発明は、鉄鋼業界等の個別受注による材料手配等を行う業界において有用である。
【符号の説明】
【００７７】
１００  手配工程管理装置
１０２  制御部
１０２ａ  受注データ取得部
１０２ｂ  材料手配取得部
１０２ｃ  加工手配取得部
１０２ｄ  移動手配取得部
１０２ｅ  進捗管理部
１０２ｆ  加工払出明細取得部
１０２ｇ  加工受入明細取得部
１０２ｈ  手配データ表示部
１０４  通信インターフェース部
１０６  記憶部
１０６ａ  受注データファイル
１０６ｂ  手配データファイル
１０８  入出力インターフェース部
１１２  入力装置
１１４  出力装置
２００  サーバ
３００  ネットワーク
【図１】
2019061552.tif 000003
【図２】
2019061552.tif 000004
【図３】
2019061552.tif 000005
【図４】
2019061552.tif 000006
【図５】
2019061552.tif 000007
【図６】
2019061552.tif 000008
【図７】
2019061552.tif 000009
【図８】
2019061552.tif 000010
【図９】
2019061552.tif 000011
【図１０】
2019061552.tif 000012
【図１１】
2019061552.tif 000013
【図１２】
2019061552.tif 000014